(57)【要約】【課題】  装置内の残留血液の回収操作が、より安全に実施され得る血液浄化装置を提供する。【解決手段】  血液導入口１３を通じて導入された浄化されるべき血液をダイアライザ１０に供給する血液供給流路１２を、主流路２８とバイパス流路３０とを含んで構成すると共に、バイパス流路３０上に濾過手段４２を設け、更に、浄化されるべき血液のダイアライザ１０への供給時には、かかる血液が主流路２８のみを通じて流通せしめられる一方、装置内部の残留血液が、ダイアライザ１０側から血液導入口１３側に向かって流通せしめられて、回収される際には、かかる残留血液が、パイパス流路３０を通じて流通せしめられるように、血液供給流路１２内での血液の流通経路を切り換え得る切換機構３１，４６を血液供給流路１２上に設けて、構成した。【選択図】      図  １
2005176883.tif 000002
【特許請求の範囲】
【請求項１】
血液を浄化するダイアライザと、該ダイアライザに接続され、血液導入口を通じて導入された浄化されるべき血液を該ダイアライザに供給する血液供給流路と、該ダイアライザに接続され、該ダイアライザで浄化された血液を患者に返送するための血液返送流路とを備えた血液浄化装置において、
前記血液供給流路を、主流路と、該主流路における前記血液導入口側の部位と前記ダイアライザ側の部位の二カ所を結ぶバイパス流路とを含んで構成すると共に、かかるバイパス流路上に、該バイパス流路内を流通せしめられる血液を濾過して、該血液中の血栓を除去する濾過手段を設け、更に、前記浄化されるべき血液が前記ダイアライザ内に供給されるときには、該パイパス流路を通じての該血液の流通を阻止して、該血液が、該主流路のみを通じて、前記血液供給流路内を流通せしめられる一方、該主流路内や該ダイアライザ内に残留せしめられた血液が、該ダイアライザ側から前記血液導入口側に向かって流通せしめられるときには、かかる残留血液が、該パイパス流路を通じて流通せしめられるように、該血液供給流路内での血液の流通経路を切り換え得る切換機構を、該血液供給流路上に設けたことを特徴とする血液浄化装置。
【請求項２】
前記濾過手段が、前記血液は通過させるものの、該血液中に混入する前記血栓は通過させない大きさの網目を有する濾過網にて構成されている請求項１に記載の血液浄化装置。
【請求項３】
前記濾過手段が、生理的食塩水中に浸漬された状態で、前記バイパス流路上に配設されている請求項１又は請求項２に記載の血液浄化装置。
【請求項４】
中空部材からなり、内部に、前記濾過手段が収容配置されて、該内部が、該濾過手段を介して第一空間と第二空間とに仕切られた濾過手段収容部と、該濾過手段収容部の該第一空間と前記主流路における前記血液導入口側の部位とを血液が流通可能に接続する第一接続流路と、該濾過手段収容部の前記第二空間と該主流路における前記ダイアライザ側の部位とを血液が流通可能に接続する第二接続流路とが設けられて、それら濾過手段収容部と第一接続流路と第二接続流路とにて、前記バイパス流路が構成されると共に、前記切換機構が、該第一接続流路を通じての前記主流路から前記濾過手段収容部への血液の流通を阻止する第一規制手段と、該第一接続流路の該主流路に対する接続部位と前記第二接続流路の該主流路に対する接続部位の二つの接続部位の間の主流路部分で、該第二接続流路の主流路に対する接続部位側から該第一接続流路の主流路に対する接続部位側への血液の流通を阻止する第二規制手段とを含んで、構成されている請求項１乃至請求項３のうちの何れか１項に記載の血液浄化装置。
【請求項５】
前記第一規制手段が、前記第一接続流路を任意に開閉せしめて、該第一接続流路を通じての前記濾過手段収容部と前記主流路との間での血液の流通を許容又は阻止する開閉部材と、該第一接続流路を通じての該濾過手段収容部から該主流路への血液の流れは許容するものの、それとは反対側への血液の流れを阻止する逆止弁のうちの何れか一方のものにて、構成されている請求項４に記載の血液浄化装置。
【請求項６】
前記第二規制手段が、前記第一接続流路の主流路への接続部位と前記第二接続流路の主流路への接続部位の二つの接続部位の間の前記主流路部分を任意に開閉せしめて、該主流路部分を通じてのそれら二つの接続部位間での血液の流通を許容又は阻止する開閉部材と、該主流路部分を通じて、該第一接続流路の主流路への接続部位から該第二接続流路の主流路への接続部位に向かって流れる血液の流れは許容するものの、それとは反対側への血液の流れを阻止する逆止弁の何れか一方のものにて、構成されている請求項４又は請求項５に記載の血液浄化装置。
【請求項７】
前記第二規制手段が、作動状態下で、前記浄化されるべき血液を前記ダイアライザに送出する一方、停止状態下では、前記第一接続流路の主流路に対する接続部位と前記第二接続流路の主流路に対する接続部位の二つの接続部位の間の前記主流路部分を通じての血液の流通を阻止するポンプ手段にて、構成されている請求項４又は請求項５に記載の血液浄化装置。
【請求項８】
前記第二接続流路を任意に開閉せしめて、該第二接続流路を通じての前記濾過手段収容部と前記主流路との間での血液の流通を許容又は阻止する開閉部材と、該第二接続流路を通じての該主流路から該濾過手段収容部への血液の流れは許容するものの、それとは反対側への血液の流れを阻止する逆止弁のうちの何れか一方が、更に設けられている請求項４乃至請求項７のうちの何れか１項に記載の血液浄化装置。
【請求項９】
前記血液供給流路内の血液の一部を貯留する動脈チャンバが、該血液供給流路の前記主流路上に設けられると共に、中空部材からなり、内部に、前記濾過手段が収容配置されて、該内部が、該濾過手段を介して第一空間と第二空間とに仕切られた補助チャンバと、該動脈チャンバ内に挿通せしめられて延びる、血液が流通可能な管体からなり、一方の開口部において、前記動脈チャンバにおける前記浄化されるべき血液の流入口に接続される一方、他方の開口部において、前記補助チャンバの第一空間に開口せしめられ、且つ該動脈チャンバ内に位置する中間部に、該流入口を通じて導かれる前記浄化されるべき血液を該動脈チャンバ内に流出せしめる流出口が設けられた第一管路と、該第一管路とは別個の、血液が流通可能な管体からなり、一方の開口部において、該動脈チャンバ内に開口せしめられる一方、他方の開口部において、前記補助チャンバの第二空間に開口せしめられる第二管路とが設けられて、該補助チャンバと、該第一管路における前記流出口よりも該補助チャンバへの開口部側の部分と、該第二管路とにて、前記バイパス流路が構成され、更に、該第一管路の流出口に設けられて、該流出口からの血液の流出は許容するものの、該流出口からの血液の流入は阻止する逆止弁と、該第一管路を通じての前記主流路から前記補助チャンバへの血液の流通を阻止する規制手段とにて、前記切換機構が構成されている請求項１乃至請求項３のうちの何れか１項に記載の血液浄化装置。
【請求項１０】
前記規制手段が、前記第一管路を任意に開閉せしめて、該第一管路を通じての前記主流路と前記補助チャンバとの間での血液の流通を許容又は阻止する開閉部材と、該第一管路を通じての該補助チャンバから該主流路への血液の流れは許容するものの、それとは反対側への血液の流れを阻止する逆止弁のうちの何れか一方のものにて構成されている請求項９に記載の血液浄化装置。
【請求項１１】
前記第二管路に、該第二管路を任意に開閉せしめて、該第二管路を通じての前記動脈チャンバと前記補助チャンバとの間での血液の流通を許容又は阻止する開閉部材と、該第二管路を通じての該動脈チャンバから該補助チャンバへの血液の流れは許容するものの、それとは反対側への血液の流れを阻止する逆止弁のうちの何れか一方が、更に設けられている請求項９又は請求項１０に記載の血液浄化装置。
【請求項１２】
中空部材からなり、内側空間の下部側部分が、前記血液供給流路内の血液の一部を貯留する貯留部とされる一方、上部側部分が中空部とされた動脈チャンバが、該血液供給流路の前記主流路上に設けられると共に、該動脈チャンバ内に、上下方向に延びるように配設された、血液が流通可能な延長流路が、下側開口部において、前記動脈チャンバにおける前記浄化されるべき血液の流入口に接続される一方、上側開口部に前記濾過手段が取り付けられて、該上側開口部において、該動脈チャンバの前記中空部に、該濾過手段を通じて開口せしめられ、且つ該動脈チャンバの前記貯留部に位置する中間部に、該流入口を通じて導かれる前記浄化されるべき血液を該動脈チャンバ内に流出せしめる流出口が設けられて構成されることにより、該動脈チャンバの前記中空部と、該中空部内に位置せしめられた前記延長流路の前記流出口よりも上側部位とにて、前記バイパス流路が構成され、更に、該延長流路の前記流出口に設けられて、該流出口からの血液の流出は許容するものの、該流出口からの血液の流入は阻止する逆止弁と、前記貯留部内の血液の液面を、該動脈チャンバの中空部における前記濾過手段の配設位置まで上昇させる血液液面上昇手段とを含んで前記切替機構が構成され、そして、前記残留血液が前記ダイアライザ側から前記血液導入口側に向かって流通せしめられるときには、かかる血液液面上昇手段にて、該貯留部内の血液の液面を、該動脈チャンバの中空部における前記濾過手段の配設位置まで上昇させることにより、該貯留部内の血液が、該濾過手段にて濾過されて、前記動脈チャンバの流入口に向かって流通せしめられるようになっている請求項１又は請求項２に記載の血液浄化装置。
【請求項１３】
前記動脈チャンバが、柔軟性乃至は弾性を有して構成されると共に、前記血液液面上昇手段が、前記動脈チャンバの中空部と前記貯留部とをそれぞれ側方から別個に押圧する押圧手段にて構成され、前記浄化されるべき血液が前記ダイアライザ内に供給されるときには、該押圧手段にて、該動脈チャンバの中空部を側方から押圧して、該中空部と該中空部内の前記延長流路の上側部位からなる前記バイパス流路を潰れ変形せしめることにより、該バイパス流路を通じての該血液の流通が阻止される一方、前記残留血液が前記ダイアライザ側から前記血液導入口側に向かって流通せしめられるときには、該押圧手段による該動脈チャンバの中空部に対する押圧を解消せしめる一方で、該押圧手段にて、該動脈チャンバの前記貯留部を側方から押圧し、該貯留部を潰れ変形せしめることにより、該貯留部の血液の液面が、該動脈チャンバの中空部における前記濾過手段の配設位置まで上昇せしめられるようになっている請求項１２に記載の血液浄化装置。
【請求項１４】
前記血液液面上昇手段が、前記動脈チャンバの中空部の空気を該動脈チャンバの外へ排出せしめる空気排出手段からなり、前記浄化されるべき血液が前記ダイアライザ内に供給されるときには、該動脈チャンバの中空部には空気が貯留されて、該バイパス流路を通じての該血液の流通が阻止される一方、前記残留血液が前記ダイアライザ側から前記血液導入口側に向かって流通せしめられるときには、該空気排出手段にて、該動脈チャンバの中空部の空気が該動脈チャンバの外へ排出せしめられて、該貯留部の血液の液面が、該動脈チャンバの中空部における前記濾過手段の配設位置まで上昇せしめられるようになっている請求項１２に記載の血液浄化装置。
【発明の詳細な説明】
【技術分野】
【０００１】
本発明は、血液浄化装置に係り、特に、患者の体内から取り出した血液をダイアライザで浄化して、再び体内に戻すようにした血液浄化装置の改良された構造に関するものである。
【背景技術】
【０００２】
近年、腎不全の患者の治療や生命の維持のために、患者の血液を浄化する血液浄化装置として、所謂人工腎臓が、広く用いられるようになってきている。そして、かかる装置には、函体内に、中空繊維状のセルロース膜、キュプロアンモニウムレーヨン膜、ポリアクリロニトリル膜等の半透膜が収容されてなるダイアライザ（透析器）が用いられ、例えば、血液透析操作を行う場合には、ダイアライザ内で、患者の血液が、半透膜を介して、透析液に接触せしめられることにより、患者の血液中に蓄積した尿素、尿酸、水等が透析、除去せしめられて、かかる血液が浄化されるようになっている。
【０００３】
また、このようなダイアライザを有する従来の血液浄化装置は、一般に、ダイアライザの血液の流入側に、血液導入口を有する血液供給流路が接続される一方、ダイアライザの血液の流出側に、血液返送流路が接続されており、更に、それらの流路のうち、血液供給流路上に、血液ポンプが設けられている。そして、血液供給流路の血液導入口と、血液返送流路の末端部とに、動脈側穿刺針と静脈側穿刺針とがそれぞれ取り付けられて、血液供給流路に取り付けられた動脈側穿刺針が、患者のシャント血管の上流側に穿刺される一方、血液返送流路に取り付けられた静脈側穿刺針が、患者のシャント血管の下流側に穿刺されることにより、血液回路を構成し得るようになっている。
【０００４】
かくして、かかる血液回路を構成する血液浄化装置にあっては、動脈側穿刺針を通じて、血液供給流路内に、血液導入口から導入された、浄化されるべき血液が、血液ポンプの作用にて、ダイアライザ内に送出せしめられて、浄化された後、この浄化された血液が、ダイアライザ内から血液返送流路内に流出せしめられて、かかる血液返送流路の先端に設けられた静脈側穿刺針を通じて、患者に戻されるようになっている。
【０００５】
また、このような従来の血液浄化装置では、通常、例えば濾過網等が内部に配設された動脈チャンバと静脈チャンバとが、血液供給流路上と血液返送流路上とにそれぞれ配設されて、血液の浄化操作が行われるときに、それら各流路内の血液が、各チャンバ内に一旦貯留されて、血液中に混入する空気が除去されると共に、内部に配設された濾過網等により、各チャンバ内の血液が濾過され、かかる血液中の血栓が捕捉されて、取り除かれることで、血液浄化操作が安全に実施され得るように構成されているのである。
【０００６】
ところで、かくの如き血液浄化装置を用いた患者の血液の浄化操作の終了後には、装置の内部に残留する血液を、患者の体内に戻す血液回収操作を行う必要があるが、近年では、患者の負担の軽減や血液回収操作の効率化と安全性の確保等を図るために、血液浄化操作の終了後に、動脈側穿刺針と静脈側穿刺針とを患者から抜去することなく、患者に穿刺したままで、血液回収操作を実施するようにした装置が、例えば、下記特許文献１等において提案されている。
【０００７】
すなわち、この特許文献１に開示の血液浄化装置にあっては、ダイアライザ内での透析液側の圧力を血液側の圧力よりも相対的に高めるのことの出来る圧発生手段と、血液供給流路を連通／遮断状態に切り換える第一の遮断手段と、血液返送流路を連通／遮断状態に切り換える第二の遮断手段とを有して、構成されており、血液浄化操作の終了後に、第一及び第二遮断手段にて、血液供給流路と血液返送流路の連通／遮断状態を制御しつつ、圧発生手段を作動せしめて、ダイアライザ内での透析液側の圧力を血液側の圧力よりも高く為すことにより、ダイアライザ内で、透析液を半透膜を介して血液側に移行せしめる、所謂逆濾過が行われ得るようになっている。
【０００８】
そして、このような血液浄化装置では、血液回収操作時に、例えば、先ず、第一及び第二遮断手段にて、血液供給流路が遮断状態とされ且つ血液返送流路が連通状態とされた状態下で、圧発生手段が作動せしめられて、逆濾過が行われることにより、ダイアライザ内及び血液返送流路内の残留血液が、透析液に置換されて、血液返送流路を通じて患者の体内に戻された後、第一及び第二遮断手段がそれぞれ切り換えられて、血液供給流路が連通状態とされ且つ血液返送流路が遮断状態とされた状態下で、再び、圧発生手段の作動による逆濾過が行われる一方で、血液供給流路上の血液ポンプが逆回転作動せしめられることにより、血液供給流路内の残留血液が、ダイアライザ側から血液導入口側に向かって逆流せしめられて、患者の体内に戻され、以て、装置内部の残留血液の全量の回収が確実に実施され得るようになっているのである。
【０００９】
ところが、かかる従来の血液浄化装置においては、前述せる如く、血液浄化操作中に、血液供給流路上に設けられた動脈チャンバ内の濾過網にて、血液供給流路内を流通する浄化されるべき血液中の血栓が捕捉され得るようにした構成が採用される場合、血液回収操作により、血液供給流路内の残留血液が、ダイアライザ側から血液導入口側に向かって逆流せしめられる際に、血液浄化操作で動脈チャンバ内の濾過網に捕捉された血栓が、残留血液に混入し、かかる残留血液と共に患者の体内に送り込まれる恐れがあった。
【００１０】
また、従来の血液浄化装置において、血液供給流路上に動脈チャンバが設けられていない場合にあっても、血液回収操作により、血液供給流路内の残留血液が、ダイライザー側から血液導入口側に向かって逆流せしめられる際に、ダイアライザと血液供給流路との接続部付近で形成された血栓が残留血液に混入し、残留血液と共に患者の体内に送り込まれる恐れがあったのである。
【００１１】
【特許文献１】特公平５−１５４６４号公報
【発明の開示】
【発明が解決しようとする課題】
【００１２】
ここにおいて、本発明は、上述せる如き事情を背景にして為されたものであって、その解決課題とするところは、浄化されるべき血液中から、血液浄化操作中に除去された血栓や、血液供給流路内の残留血液中の血栓が、血液浄化操作終了後の血液回収操作中に、残留血液と共に患者の体内に送り込まれるようなことが効果的に防止され得て、血液回収操作がより安全に実施され得るようにした血液浄化装置の改良された構造を提供することにある。
【課題を解決するための手段】
【００１３】
そして、本発明にあっては、かかる課題の解決のために、その第一の態様とするところは、血液を浄化するダイアライザと、該ダイアライザに接続され、血液導入口を通じて導入された浄化されるべき血液を該ダイアライザに供給する血液供給流路と、該ダイアライザに接続され、該ダイアライザで浄化された血液を患者に返送するための血液返送流路とを備えた血液浄化装置において、前記血液供給流路を、主流路と、該主流路における前記血液導入口側の部位と前記ダイアライザ側の部位の二カ所を結ぶバイパス流路とを含んで構成すると共に、かかるバイパス流路上に、該バイパス流路内を流通せしめられる血液を濾過して、該血液中の血栓を除去する濾過手段を設け、更に、前記浄化されるべき血液が前記ダイアライザ内に供給されるときには、該パイパス流路を通じての該血液の流通を阻止して、該血液が、該主流路のみを通じて、前記血液供給流路内を流通せしめられる一方、該主流路内や該ダイアライザ内に残留せしめられた血液が、該ダイアライザ側から前記血液導入口側に向かって流通せしめられるときには、かかる残留血液が、該パイパス流路を通じて流通せしめられるように、該血液供給流路内での血液の流通経路を切り換え得る切換機構を、該血液供給流路上に設けたことを特徴とする血液浄化装置にある。
【００１４】
また、このような本発明に従う血液浄化装置の好ましい第二の態様においては、前記濾過手段が、前記血液は通過させるものの、該血液中に混入する前記血栓は通過させない大きさの網目を有する濾過網にて構成される。
【００１５】
さらに、本発明に従う血液浄化装置の有利な第三の態様では、前記濾過手段が、生理的食塩水中に浸漬された状態で、前記バイパス流路上に配設されることとなる。
【００１６】
更にまた、本発明に従う血液浄化装置の望ましい第四の態様においては、中空部材からなり、内部に、前記濾過手段が収容配置されて、該内部が、該濾過手段を介して第一空間と第二空間とに仕切られた濾過手段収容部と、該濾過手段収容部の該第一空間と前記主流路における前記血液導入口側の部位とを血液が流通可能に接続する第一接続流路と、該濾過手段収容部の前記第二空間と該主流路における前記ダイアライザ側の部位とを血液が流通可能に接続する第二接続流路とが設けられて、それら濾過手段収容部と第一接続流路と第二接続流路とにて、前記バイパス流路が構成されると共に、前記切換機構が、該第一接続流路を通じての前記主流路から前記濾過手段収容部への血液の流通を阻止する第一規制手段と、該第一接続流路の該主流路に対する接続部位と前記第二接続流路の該主流路に対する接続部位の二つの接続部位の間の主流路部分で、該第二接続流路の主流路に対する接続部位側から該第一接続流路の主流路に対する接続部位側への血液の流通を阻止する第二規制手段とを含んで、構成される。
【００１７】
また、本発明に従う血液浄化装置の他の好ましい第五の態様では、前記第一規制手段が、前記第一接続流路を任意に開閉せしめて、該第一接続流路を通じての前記濾過手段収容部と前記主流路との間での血液の流通を許容又は阻止する開閉部材と、該第一接続流路を通じての該濾過手段収容部から該主流路への血液の流れは許容するものの、それとは反対側への血液の流れを阻止する逆止弁のうちの何れか一方のものにて、構成される。
【００１８】
さらに、本発明に従う血液浄化装置の別の有利な第六の態様では、前記第二規制手段が、前記第一接続流路の主流路への接続部位と前記第二接続流路の主流路への接続部位の二つの接続部位の間の前記主流路部分を任意に開閉せしめて、該主流路部分を通じてのそれら二つの接続部位間での血液の流通を許容又は阻止する開閉部材と、該主流路部分を通じて、該第一接続流路の主流路への接続部位から該第二接続流路の主流路への接続部位に向かって流れる血液の流れは許容するものの、それとは反対側への血液の流れを阻止する逆止弁の何れか一方のものにて、構成される。
【００１９】
また、本発明に従う血液浄化装置の他の望ましい第七の態様では、前記第二規制手段が、作動状態下で、前記浄化されるべき血液を前記ダイアライザに送出する一方、停止状態下では、前記第一接続流路の主流路に対する接続部位と前記第二接続流路の主流路に対する接続部位の二つの接続部位の間の前記主流路部分を通じての血液の流通を阻止するポンプ手段にて、構成される。
【００２０】
更にまた、本発明に従う血液浄化装置の別の有利な第八の態様においては、前記第二接続流路を任意に開閉せしめて、該第二接続流路を通じての前記濾過手段収容部と前記主流路との間での血液の流通を許容又は阻止する開閉部材と、該第二接続流路を通じての該主流路から該濾過手段収容部への血液の流れは許容するものの、それとは反対側への血液の流れを阻止する逆止弁のうちの何れか一方が、更に設けられることとなる。
【００２１】
また、本発明に従う血液浄化装置の他の有利な第九の態様においては、前記血液供給流路内の血液の一部を貯留する動脈チャンバが、該血液供給流路の前記主流路上に設けられると共に、中空部材からなり、内部に、前記濾過手段が収容配置されて、該内部が、該濾過手段を介して第一空間と第二空間とに仕切られた補助チャンバと、該動脈チャンバ内に挿通せしめられて延びる、血液が流通可能な管体からなり、一方の開口部において、前記動脈チャンバにおける前記浄化されるべき血液の流入口に接続される一方、他方の開口部において、前記補助チャンバの第一空間に開口せしめられ、且つ該動脈チャンバ内に位置する中間部に、該流入口を通じて導かれる前記浄化されるべき血液を該動脈チャンバ内に流出せしめる流出口が設けられた第一管路と、該第一管路とは別個の、血液が流通可能な管体からなり、一方の開口部において、該動脈チャンバ内に開口せしめられる一方、他方の開口部において、前記補助チャンバの第二空間に開口せしめられる第二管路とが設けられて、該補助チャンバと、該第一管路における前記流出口よりも該補助チャンバへの開口部側の部分と、該第二管路とにて、前記バイパス流路が構成され、更に、該第一管路の流出口に設けられて、該流出口からの血液の流出は許容するものの、該流出口からの血液の流入は阻止する逆止弁と、該第一管路を通じての前記主流路から前記補助チャンバへの血液の流通を阻止する規制手段とにて、前記切換機構が構成されることとなる。
【００２２】
さらに、本発明に従う血液浄化装置の好ましい第十の態様では、前記規制手段が、前記第一管路を任意に開閉せしめて、該第一管路を通じての前記主流路と前記補助チャンバとの間での血液の流通を許容又は阻止する開閉部材と、該第一管路を通じての該補助チャンバから該主流路への血液の流れは許容するものの、それとは反対側への血液の流れを阻止する逆止弁のうちの何れか一方のものにて構成される。
【００２３】
更にまた、本発明に従う血液浄化装置の第十一の態様においては、前記第二管路に、該第二管路を任意に開閉せしめて、該第二管路を通じての前記動脈チャンバと前記補助チャンバとの間での血液の流通を許容又は阻止する開閉部材と、該第二管路を通じての該動脈チャンバから該補助チャンバへの血液の流れは許容するものの、それとは反対側への血液の流れを阻止する逆止弁のうちの何れか一方が、更に設けられることとなる。
【００２４】
また、本発明に従う血液浄化装置の別の有利な第十二の態様においては、中空部材からなり、内側空間の下部側部分が、前記血液供給流路内の血液の一部を貯留する貯留部とされる一方、上部側部分が中空部とされた動脈チャンバが、該血液供給流路の前記主流路上に設けられると共に、該動脈チャンバ内に、上下方向に延びるように配設された、血液が流通可能な延長流路が、下側開口部において、前記動脈チャンバにおける前記浄化されるべき血液の流入口に接続される一方、上側開口部に前記濾過手段が取り付けられて、該上側開口部において、該動脈チャンバの前記中空部に、該濾過手段を通じて開口せしめられ、且つ該動脈チャンバの前記貯留部に位置する中間部に、該流入口を通じて導かれる前記浄化されるべき血液を該動脈チャンバ内に流出せしめる流出口が設けられて構成されることにより、該動脈チャンバの前記中空部と、該中空部内に位置せしめられた前記延長流路の前記流出口よりも上側部位とにて、前記バイパス流路が構成され、更に、該延長流路の前記流出口に設けられて、該流出口からの血液の流出は許容するものの、該流出口からの血液の流入は阻止する逆止弁と、前記貯留部内の血液の液面を、該動脈チャンバの中空部における前記濾過手段の配設位置まで上昇させる血液液面上昇手段とを含んで前記切替機構が構成され、そして、前記残留血液が前記ダイアライザ側から前記血液導入口側に向かって流通せしめられるときには、かかる血液液面上昇手段にて、該貯留部内の血液の液面を、該動脈チャンバの中空部における前記濾過手段の配設位置まで上昇させることにより、該貯留部内の血液が、該濾過手段にて濾過されて、前記動脈チャンバの流入口に向かって流通せしめられるように構成されることとなる。
【００２５】
さらに、本発明に従う血液浄化装置の好ましい第十三の態様では、前記動脈チャンバが、柔軟性乃至は弾性を有して構成されると共に、前記血液液面上昇手段が、前記動脈チャンバの中空部と前記貯留部とをそれぞれ側方から別個に押圧する押圧手段にて構成され、前記浄化されるべき血液が前記ダイアライザ内に供給されるときには、該押圧手段にて、該動脈チャンバの中空部を側方から押圧して、該中空部と該中空部内の前記延長流路の上側部位からなる前記バイパス流路を潰れ変形せしめることにより、該バイパス流路を通じての該血液の流通が阻止される一方、前記残留血液が前記ダイアライザ側から前記血液導入口側に向かって流通せしめられるときには、該押圧手段による該動脈チャンバの中空部に対する押圧を解消せしめる一方で、該押圧手段にて、該動脈チャンバの前記貯留部を側方から押圧し、該貯留部を潰れ変形せしめることにより、該貯留部の血液の液面が、該動脈チャンバの中空部における前記濾過手段の配設位置まで上昇せしめられるように構成される。
【００２６】
更にまた、本発明に従う血液浄化装置の望ましい第十四の態様においては、前記血液液面上昇手段が、前記動脈チャンバの中空部の空気を該動脈チャンバの外へ排出せしめる空気排出手段からなり、前記浄化されるべき血液が前記ダイアライザ内に供給されるときには、該動脈チャンバの中空部には空気が貯留されて、該バイパス流路を通じての該血液の流通が阻止される一方、前記残留血液が前記ダイアライザ側から前記血液導入口側に向かって流通せしめられるときには、該空気排出手段にて、該動脈チャンバの中空部の空気が該動脈チャンバの外へ排出せしめられて、該貯留部の血液の液面が、該動脈チャンバの中空部における前記濾過手段の配設位置まで上昇せしめられるように構成される。
【発明の効果】
【００２７】
要するに、本発明に従う血液浄化装置の第一の態様によれば、血液浄化操作が実施されている間は、血液導入口を通じて導入された、浄化されるべき血液が、血液供給流路内を、主流路のみを通じて流通せしめられて、ダイアライザに供給されるように、血液供給流路内での血液の流通経路が切換機構にて切り換えられることにより、血液浄化操作中に、浄化されるべき血液が、血液供給流路のバイパス流路上に設けられた濾過手段に接触せしめられることが確実に回避され得て、かかる濾過手段に、血液供給流路内の血液中の血栓が捕捉されるようなことや、或いはその濾過手段において血栓が形成されるようなことが、効果的に阻止され得る。
【００２８】
これによって、本発明装置では、血液浄化操作の終了後に、ダイアライザ内や血液供給流路内に残留する血液が、血液浄化操作中の流通方向とは反対側の方向となる、ダイアライザ側から血液導入口側に向かう方向に流通せしめられて、回収される際に、バイパス流路上の濾過手段に対する残留血液の接触により、この濾過手段にて血液浄化操作中に捕捉せしめられた血栓や、濾過手段において形成された血栓等が残留血液中に混入せしめられるようなことが、完全に皆無ならしめられ得る。
【００２９】
また、本発明に係る血液浄化装置においては、血液浄化操作の終了後における装置内部の残留血液の回収時に、残留血液がバイパス流路を通じて血液供給流路内を流通せしめられるように、血液供給流路内での血液の流通経路が切換機構にて切り換えられることによって、血液回収操作中に、残留血液がバイパス流路内の濾過手段にて濾過されて、残留血液中の血栓が、かかる濾過手段にて捕捉されて、除去され得る。
【００３０】
それ故、例えば、血液供給流路上に、濾過手段を内部に有する動脈チャンバが設けられていても、かかる動脈チャンバの配設部位が、血液供給流路におけるバイパス流路よりもダイアライザ側の部位であれば、動脈チャンバ内の濾過手段にて、浄化されるべき血液中から、血液浄化操作中に捕捉された血栓が、血液回収操作中に、残留血液内に混入せしめられるようなことがあっても、そのような血栓が、バイパス流路内の濾過手段にて、再度、捕捉せしめられ得る。
【００３１】
従って、かくの如き本発明に従う血液浄化装置を用いれば、浄化されるべき血液中から、血液浄化操作中に除去された血栓や、血液供給流路内の残留血液中の血栓が、血液浄化操作終了後の血液回収操作中に、残留血液と共に患者の体内に送り込まれるようなことが効果的に防止され得るのであり、その結果として、血液回収操作が、より安全に実施され得ることとなるのである。
【００３２】
また、本発明に従う血液浄化装置の第二の態様によれば、バイパス流路において、血液中の血栓が確実に除去され得る。
【００３３】
さらに、本発明装置の第三の態様では、血液浄化操作中に、浄化されるべき血液の一部が、誤ってバイパス流路内に流通せしめられて、バイパス流路上の濾過手段に接触せしめられるようなことがあっても、そのような血液が、濾過手段と共に生理的食塩水にも接触せしめられるために、凝固せしめられるようなこと有利に阻止され得、それによって、血液回収操作で、濾過手段において形成された血栓が、残留血液と共に、患者の体内に送り込まれるようなことが、より効果的に防止され得ることとなる。
【００３４】
更にまた、本発明に係る血液浄化装置の第四の態様によれば、バイパス流路が、単に、第一及び第二接続流路と、それら各流路にて、主流路に接続された濾過手段収容部とからなるだけの比較的に簡略な構造をもって、有利に構成され得ると共に、切換機構も、第一接続流路を通じての主流路から濾過手段収容部への一方向の血液の流れを阻止する第一規制手段と、第二の接続流路の主流路に対する接続部位側から第一接続流路の主流路に対する接続部位側への一方向の血液の流れを阻止する第二規制手段とを含む比較的に簡略な構造において、実現されており、以て、バイパス流路と切換機構の増設に伴う血液浄化装置全体の構造の複雑化が、効果的に回避乃至は抑制され得る。
【００３５】
また、本発明装置の第五及び第六の態様では、切換機構を与える第一及び第二規制手段が、何れも、複雑な作動機構を何等有するものでない、一般的な開閉手段や逆止弁等にて構成されており、これによって、切換機構の増設に伴う血液浄化装置の構造の複雑化が、更に一層有利に回避乃至は抑制され得る。
【００３６】
さらに、本発明に従う血液浄化装置の第七の態様によれば、第二の接続流路の主流路に対する接続部位側から第一接続流路の主流路に対する接続部位側への一方向の血液の流れを阻止する第二規制手段が、血液導入口を通じて導入された血液をダイアライザの送出するポンプ手段にて構成されるため、第二規制手段として、かかるポンプ手段とは別に、特別な部材や機構を設ける必要が無くされ得て、第二規制手段の付加に伴う部品点数の増加が有利に解消され得る。
【００３７】
更にまた、本発明に係る血液浄化装置の第八の態様によれば、血液浄化操作中に、浄化されるべき血液が、バイパス流路を通じて、血液供給流路内を流通せしめられるようなことが、より確実に回避され得て、血液浄化操作中における主流路のみを通じての血液の流通が、更に一層安定的に実現され得る。
【００３８】
また、本発明に従う血液浄化装置の第九の態様によれば、主流路に設けられた動脈チャンバにて、血液供給流路内の血液中の空気を除去することが出来、しかも、血液浄化操作中に、浄化されるべき血液中の血栓を除去するための濾過手段を、バイパス流路上に設けられる濾過手段とは別に、動脈チャンバ内に設けることが出来るため、かかる浄化されるべき血液中の血栓も、効果的に除去することが可能となる。
【００３９】
さらに、本発明装置の第十の態様では、切換機構を与える規制手段が、複雑な作動機構を何等有するものでない、一般的な開閉手段や逆止弁等にて構成されており、これによって、切換機構の付加に伴う血液浄化装置の構造の複雑化が、有利に回避乃至は抑制され得る。
【００４０】
また、本発明装置の第十一の態様によれば、血液浄化操作中に、浄化されるべき血液が、バイパス流路を通じて、血液供給流路内を流通せしめられるようなことが、より確実に回避され得て、血液浄化操作中における主流路のみを通じての血液の流通が、更に一層安定的に実現され得る。
【００４１】
さらに、本発明に従う血液浄化装置の第十二の態様によれば、動脈チャンバ内の上部側部分からなる中空部と、動脈チャンバ内に配設されたチューブの該中空部に位置する部分とにて、バイパス流路が構成されているため、血液中の空気を除去するための動脈チャンバとバイパス流路とを別個に設ける必要が解消され、それによって、バイパス流路の増設に伴う血液浄化装置の部品点数の増加と、それに伴う構造の複雑化とが、効果的に回避乃至は抑制され得ることとなる。
【００４２】
更にまた、本発明に従う血液浄化装置の第十三及び第十四の態様によれば、血液液面上昇手段が、比較的に簡略な構造をもって、確実に形成され得る。
【発明を実施するための最良の形態】
【００４３】
以下、本発明をより具体的に明らかにするために、本発明に係る血液浄化装置の構成について、図面を参照しつつ、詳細に説明することとする。
【００４４】
先ず、図１には、本発明に従う血液浄化装置の一実施形態を示す系統図が、概略的に示されている。かかる図１において、１０は、ダイアライザ（血液透析器）であって、従来と同様な構造を有しており、円筒形状の函体内部に、中空繊維状の半透膜が収容されて、構成されている。また、かかるダイアライザ１０の軸方向の一端側には、患者の体内から血液を導くための血液供給流路１２が接続されている一方、その他端側には、ダイアライザ１０内で透析、浄化された血液を患者の体内に返送するための血液返送流路１４が接続されている。
【００４５】
そして、血液供給流路１２においては、ダイアライザ１０の接続側とは反対側の先端開口部が、血液導入口１３とされて、そこに、図示しない公知の動脈側穿刺針が取り付けられるようになっており、また、血液返送流路１４も、ダイアライザ１０の接続側とは反対側の先端開口部が、血液返送口１５とされて、そこに、図示しない公知の静脈側穿刺針が取り付けられるようになっている。
【００４６】
さらに、かかる血液供給流路１２上には、正逆回転作動可能な公知の構造を有する血液ポンプ１６が設けられており、この血液ポンプ１６の正回転作動によって、血液導入口１３から血液供給流路１２内に導入された血液が、ダイアライザ１０内に送出されて、ダイアライザ１０内を流通せしめられた後、ダイアライザ１０内から血液返送流路１４内に流出せしめられるようになっている。また、ここでは、それら血液供給流路１２上と血液返送流路１４上とにおけるダイアライザ１０との接続部の近傍に、電磁弁１８，１９が、それぞれ、一つずつ配設されており、この電磁弁１８，１９の開閉作動に応じて、各血液流路１２，１４が、連通／遮断状態に、選択的に切り換えられ得るようになっている。
【００４７】
更にまた、血液供給流路１２上における血液ポンプ１６と電磁弁１８との間の部位と、血液返送流路１４上における電磁弁１９よりも血液返送口１５側の部位とには、動脈チャンバ２０と静脈チャンバ２２とが、それぞれ一つずつ配設されている。これら動脈及び静脈チャンバ２０，２２は、血液供給流路１２内と血液返送流路１４内とをそれぞれ流通せしめられる血液を一旦貯留して、それらの血液中の空気を除去する、従来と同様な構造を有している。また、それら各チャンバ２０，２２内には、血液は通過させるが、血液中の血栓は通過させない大きさの網目を有する公知の濾過網（図示せず）がそれぞれ配設されており、それら各濾過網にて、導入される血液を濾過し、かかる血液中の血栓を捕捉、除去し得るようになっている。
【００４８】
一方、ダイアライザ１０には、新鮮な透析液を、その貯槽（図示せず）よりダイアライザ１０内に導くための透析液供給流路２４が接続されていると共に、ダイアライザ１０内で、血液供給流路１２を通じてダイアライザ１０内に供給された血液に対して、前記半透膜を介して接触せしめられて、半透膜の透析及び濾過作用により血液から取り出された不要物質乃至は有害物質を含むようになった透析液を排出するための透析液排出流路２６が接続されている。
【００４９】
また、図示されてはいないものの、ここでは、血液供給流路１２上と血液返送流路１４上にそれぞれ設けられた電磁弁１８，１９と連携して、ダイアライザ１０内での透析液側の圧力を血液側の圧力よりも相対的に高くめることの出来る圧発生手段が、例えば、特公平５−１５４６４号公報の実施例や図１及び図２に示されるような構造をもって、設けられている。
【００５０】
かくして、本実施形態の血液浄化装置にあっては、血液供給流路１２の血液導入口１３と血液返送流路１４の血液返送口１５とに、動脈側穿刺針と静脈側穿刺針とがそれぞれ取り付けられ、動脈側穿刺針が、図示しない患者のシャント血管に穿刺される一方、静脈側穿刺針が患者のシャント血管の血液流通方向下流側に穿刺されることによって、それら両穿刺針と血液供給流路１２と血液返送流路１４とダイアライザ１０とにて、患者の血液が体外循環せしめられる血液回路が構成されるようになっている。そして、かかる血液回路内において、血液導入口１３を通じて血液供給流路１２内に導入された、患者の浄化されるべき血液が、血液ポンプ１６の正回転作動に伴って、血液供給流路１２内からダイアライザ１０に送り出されて、ダイアライザ１０内で、半透膜を介して透析液に接触せしめられることにより浄化され、更に、この浄化された血液が、血液返送流路１４を経て、血液返送口１５から患者の体内に返送されることで、患者の血液の浄化操作が実施され得るようになっている。
【００５１】
また、かかる血液浄化装置では、上述の如き血液浄化操作の終了後に、血液供給流路１２上と血液返送流路１４上の各電磁弁１８，１９の開閉作動を制御しつつ、前記圧発生手段を作動させることにより、ダイアライザ１０内と血液供給流路１２内と血液返送流路１４内とにそれぞれ残留する血液を患者の体内に戻す血液回収操作が、行われ得るようになっている。
【００５２】
すなわち、例えば、先ず、血液返送流路１４上の電磁弁１９の開作動により、血液返送流路１４が連通される一方、血液供給流路１２上の電磁弁１８の閉作動により、血液供給流路１２が遮断された状態下において、前記圧発生手段が作動せしめられて、ダイアライザ１０内での透析液側の圧力が血液側の圧力よりも高められることで、ダイアライザ１０内の透析液が、半透膜を介して血液側に移行せしめられる逆濾過が行われて、かかるダイアライザ１０内と血液返送流路１４内に残留する血液が透析液に置換され、以て、それらダイアライザ１０内と血液返送流路１４内の残留血液が、血液返送流路１４を通じて、血液返送口１５から患者の体内に戻され得るようになっている。また、その後、各電磁弁１８，１９を切り換えて、電磁弁１９の閉作動により、血液返送流路１４が遮断される一方、血液供給流路１２上の電磁弁１８の開作動により、血液供給流路１２が連通された状態下において、前記圧発生手段の作動により、再度、ダイアライザ１０内での透析液側の圧力が血液側の圧力よりも高められると共に、血液供給流路１２上の血液ポンプ１６が逆回転作動せしめられることで、ダイアライザ１０内で逆濾過が行われ、今度は、血液供給流路１２内に残留する血液が透析液に置換され、以て、かかる血液供給流路１２内の残留血液が、血液供給流路１２を通じて、血液導入口１３から患者の体内に戻され得るようになっているのである。
【００５３】
而して、このような本実施形態の血液浄化装置においては、上述の如き患者の血液の体外循環による血液浄化操作の終了後に、装置内部に残留する血液を回収して、患者に返送する操作を有利に実施するための、従来装置には見られない特別な構造が血液供給流路１２に付与されており、そこに大きな特徴が存しているのである。
【００５４】
つまり、ここでは、血液供給流路１２が、主流路２８とバイパス流路３０とを有し、かかる血液供給流路１２内の血液が、血液浄化操作の実施時に、主流路２８内のみを流通せしめられる一方、血液回収操作の実施には、主流路２８内とバイパス流路３０内の両方を流通せしめられるような構造をもって、構成されている。
【００５５】
より具体的には、主流路２８は、例えば、柔軟性乃至は弾性を有する１本の樹脂チューブからなり、その両端開口部によって、血液供給流路１２に対して前記血液導入口１３とダイアライザ１０との接続口をそれぞれ与えると共に、途中に設けられた前記血液ポンプ１６の作動に伴って、血液導入口１３から導入された、浄化されるべき血液を、血液ポンプ１６よりもダイアライザ１０側に設置された動脈チャンバ２０にて、血液中の空気と血栓とを除去した状態で、血液供給流路１２を通じて、ダイアライザ１０に導き得るようになっている。
【００５６】
また、このような主流路２８においては、血液ポンプ１６と動脈チャンバ２０との中間部位に、ピンチバルブ３１が設置されている。このピンチバルブ３１は、バルブの開閉操作により、かかる主流路２８の中間部位を開閉せしめて、主流路２８を通じての血液の流通を、該中間部位において許容／阻止せしめ得るように構成されている。
【００５７】
一方、バイパス流路３０は、第一接続流路３２と第二接続流路３４と補助チャンバ３６とを、更に有している。第一接続流路３２は、例えば柔軟性乃至は弾性を有する、血液が流通可能な樹脂チューブからなり、主流路２８における血液ポンプ１６設置部位と前記ピンチバルブ３１設置部位との間の部位から分岐せしめられて、上方に延び出している。また、第二接続流路３４も、例えば柔軟性乃至は弾性を有する、血液が流通可能な樹脂チューブからなり、主流路２８におけるピンチバルブ３１設置部位と動脈チャンバ２０設置部位との間の部位から分岐せしめられて、上方に延び出している。換言すれば、本実施形態では、主流路２８におけるピンチバルブ３１設置部位を間に挟んで、その血液導入口１３側に位置する部位とダイアライザ１０側に一部する部位とから、第一接続流路３２と第二接続流路３４とが、それぞれ分岐せしめられて、主流路２８内の血液を上方に向かって流通せしめるように、一体的に延び出しているのである。
【００５８】
また、補助チャンバ３６は、所定の容積を有する両側有底の筒体からなり、主流路２８における第一接続流路３２と第二接続流路３４の分岐部位の上方に位置せしめられている。そして、かかる補助チャンバ３６にあっては、その下側底部に、それを貫通する二つの接続孔３８，４０が、所定距離を隔てて形成されており、第一接続流路３２と第二接続流路３４の各上端部が、それら二つの接続孔３８，４０を通じて、補助チャンバ３６内にそれぞれ挿入されて、固定されている。これによって、補助チャンバ３６が、第一接続流路３２を通じて、主流路２８のピンチバルブ３１設置部位よりも血液導入口１３側の部位に対して、血液が流通可能に接続されていると共に、第二接続流路３４を通じて、主流路２８のピンチバルブ３１設置部位よりもダイアライザ１０側の部位に対して、血液が流通可能に接続されている。
【００５９】
また、このような補助チャンバ３６内には、前記動脈チャンバ２０内に配設される濾過網と同様な構成を有する袋状の濾過網４２が、生理的食塩水４４と共に収容されている。そして、この補助チャンバ３６内の濾過網４２は、接続孔３８を通じて挿入された第一接続流路３２の上端部に対して、その上端開口部を覆うように、換言すれば、第一接続流路３２の上端開口部を、濾過網４２を介して補助チャンバ３６内に開口させるように、取り付けられており、また、そのような取付状態下で、濾過網４２の全体が、生理的食塩水４４中に浸漬せしめられている。
【００６０】
さらに、かかる補助チャンバ３６と主流路２８とを接続する第一接続流路３２と第二接続流路３４のそれぞれの長さ方向中間部には、ピンチバルブ４６，４８が、それぞれ取り付けられている。また、それら各ピンチバルブ４６，４８は、主流路２８に取り付けられたピンチバルブ３１と同様な構造を有している。つまり、ここでは、各ピンチバルブ４６，４８の開閉作動によって、第一接続流路３２と第二接続流路３４とが任意に開閉せしめられて、補助チャンバ３６と主流路２８との間での血液の流通が許容／阻止され得るようになっている。
【００６１】
また、そのような第一接続流路３２と第二接続流路３４のそれぞれの内部には、血液浄化操作の開始前に、生理的食塩水４４の一部が、予め浸入せしめられており、血液浄化操作中には、ピンチバルブ４６、４８が閉作動状態にあるため、それら第一接続流路３２内と第二接続流路３４内に浸入せしめられた生理的食塩水４４の一部は、そこに滞留せしめられる。これによって、血液浄化操作中に、第一接続流路３２と第二接続流路３４内に血液の一部が浸入したとしても、そこに滞留する生理的食塩水４４で希釈されて、侵入した血液にて血栓が形成されるようまことが、有効に防がれる。
【００６２】
これらのことから明らかなように、本実施形態においては、濾過手段収容部が、補助チャンバ３６にて構成されており、また、かかる補助チャンバ３６内における濾過網４２にて囲まれた部分にて、第一空間が形成される一方、それ以外の部分にて、第二空間が形成されるようになっている。そしてまた、第一接続流路３２に設けられるピンチバルブ４６にて、切換機構を与える第一規制手段としての開閉部材が構成され、更に、主流路２８における第一接続流路３２の分岐部位（接続部位）と第二接続流路３４の分岐部位との間の中間部位（接続部位）に設けられたピンチバルブ３１にて、かかる主流路２８の中間部位での血液の流通を許容又は阻止する第二規制手段としての開閉部材が、構成されているのである。
【００６３】
かくして、本実施形態の血液浄化装置にあっては、第一接続流路３２と第二接続流路３４のそれぞれの中間部位に設けられたピンチバルブ４６，４８の閉作動により、それら第一及び第二接続流路３２，３４を通じての血液の流通を阻止せしめる一方、主流路２８における第一及び第二接続流路３２，３４のそれぞれの分岐部位の中間部分に設けられたピンチバルブ３１を開作動させて、かかる主流路２８の中間部分を通じての血液の流通を許容せしめた状態で、前述せる如き血液浄化操作を行うことによって、患者の体内から血液導入口１３を通じて導入された血液が、バイパス流路３０内を、何等流通せしめられることなく、主流路２８のみを通じて、ダイアライザ１０内に供給され、そこで浄化された後、血液返送流路１４を通じて、患者の体内に再び戻されるようになっている。
【００６４】
このため、かかる血液浄化装置では、血液浄化操作中に、浄化されるべき血液が、バイパス流路３０の補助チャンバ３６内に設けられた濾過網４２に接触せしめられることが回避されて、この濾過網４２に、浄化されるべき血液中の血栓が捕捉せしめられるようなことや、濾過網４２において血栓が形成されるようなことが、有利に阻止される。
【００６５】
また、このような血液浄化操作の終了後に、第一接続流路３２と第二接続流路３４のそれぞれの中間部位に設けられたピンチバルブ４６，４８を開作動させて、それら第一及び第二接続流路３２，３４を通じての補助チャンバ３６と主流路２８との間での血液の流通を許容せしめる一方、主流路２８における第一及び第二接続流路３２，３４のそれぞれの分岐部位の中間部分に設置されたピンチバルブ３１を閉作動させて、かかる主流路２８の中間部分を通じての血液の流通を阻止せしめる。そして、その状態下で、血液供給流路１２内の残留血液の回収のために、血液ポンプ１６を逆回転作動せしめて、かかる残留血液をダイアライザ１０側から血液導入口１３側に向かって逆流させる、前述せる如き血液回収操作を行えば、血液供給流路１２における第二接続流路３４のピンチバルブ４８設置部位よりもダイアライザ１０側の部分内の残留血液が、第二接続流路３４と補助チャンバ３６と第一接続流路３２とからなるバイパス流路３０と、主流路２８のバイパス流路３０よりも血液導入口１３側の部分とを通じて、血液供給流路１２内を流通せしめられ、血液供給流路１２における第一接続流路３２のピンチバルブ４６設置部位よりも血液導入口１３側の部分内の残留血液と共に、血液導入口１３から患者の体内に戻されるようになっている。そして、このような血液回収操作中において、残留血液は、バイパス流路３０内を流通せしめられるときに、補助チャンバ３６内に配設された濾過網４２にて濾過されて、かかる残留血液中の血栓が捕捉されて、除去されることとなる。
【００６６】
それ故、かかる血液浄化装置では、前記動脈チャンバ２０内で血液浄化操作中に捕捉された血栓が、血液浄化操作時における残留血液の逆流により、かかる残留血液中に混入せしめられるようなことがあっても、そのような血栓が、補助チャンバ３６内の濾過網４２にて捕捉されて、残留血液中から確実に除去される。また、前記せる如く、血液浄化操作中に、補助チャンバ３６内の濾過網４２に血栓が捕捉乃至は形成されることがないため、補助チャンバ３６内の濾過網４２に付着した血栓が、残留血液中に混入されることもないのである。
【００６７】
従って、かくの如き本実施形態の血液浄化装置にあっては、浄化されるべき血液中から血液浄化操作時に除去された血栓や、血液供給流路１２内の残留血液中の血栓が、血液浄化操作終了後の血液回収操作中に、残留血液と共に患者の体内に送り込まれるようなことが効果的に防止され得る。そして、その結果として、血液回収操作が、従来装置に比べて、より安全に実施され得ることとなるのである。
【００６８】
また、かかる血液浄化装置では、血液浄化操作が行われている間、補助チャンバ３６内に設けられた濾過網４２が、生理的食塩水４４中に浸漬せしめられているところから、血液浄化操作中に、誤って、血液が補助チャンバ３６内に流入せしめられて、濾過網４２に接触することがあっても、かかる血液が、濾過網４２と共に生理的食塩水４４にも接触せしめられるため、凝固することが回避され、それによって、血栓が濾過網４２に付着せしめられることも、極めて効果的に防止され得る。
【００６９】
さらに、かかる血液浄化装置にあっては、補助チャンバ３６内に、残留血液中の血栓の除去を目的として設けられる濾過網４２が、何等特別な構造を有するものでなく、従来から動脈チャンバ２０内に設けられるものと同様な構造を有するものが用いられており、また、血液浄化操作時には、主流路２８のみを通じて、血液が流通せしめられる一方、血液回収操作時には、バイパス流路３０と主流路２８とを通じて、血液が流通せしめられるように、血液の流通経路を切り換えるための構造が、単に、第一接続流路３２と第二接続流路３４と、主流路２８におけるそれら各接続流路３２，３４の分岐部分の中間部位とに、それぞれ設置された、比較的に安価で且つ簡略な構造を有する三つのピンチバルブ３１，４６，４８を用いて実現されているところから、血液回収操作時における患者の体内への血栓の送込みを防止して、かかる血液回収操作の安全性を向上せしめ得るといった、前述せる如き優れた特徴が、高価な部材の使用によるコストの高騰や、血液浄化装置全体の構造の複雑化を可及的に低く抑えつつ、極めて有利に実現され得ることとなる。
【００７０】
なお、ここでは、動脈チャンバ２０が、血液供給流路１２の主流路２８におけるバイパス流路３０よりもダイアライザ１０側に配設されていたが、これを省略しても、何等差し支えない。
【００７１】
また、血液ポンプ１６が、血液供給流路１２の主流路２８におけるバイパス流路３０よりも血液導入口１３側に配設されていたが、例えば、図２に示されるように、主流路２８における第一及び第二接続流路３２，３４のそれぞれの分岐部位の中間部分に対して、そこに設置されたピンチバルブ３１の代わりに、血液ポンプ１６を配設しても良い。なお、この場合には、血液ポンプ１６として、その停止状態下で、主流路２８における第一及び第二接続流路３２，３４のそれぞれの分岐部位の中間部分を通じての血液の流通を阻止し得る構造を有するものが用いられる。
【００７２】
このような構成を採用する場合、血液浄化操作を前記実施形態と同様に実施し、かかる血液浄化操作の終了後に、先ず、第一接続流路３２と第二接続流路３４にそれぞれ設置されたピンチバルブ４６，４８を開作動させて、それら第一及び第二接続流路３２，３４を通じての主流路２８と補助チャンバ３６との間の血液の流通を許容せしめた状態と為すと共に、主流路２８のバイパス流路３０よりもダイアライザ１０側に設けられた電磁弁１８の閉作動により、血液供給流路１２を遮断した状態で、血液ポンプ１６を正回転作動せしめれば、第一及び第二接続流路３２、３４のそれぞれの分岐部位の間の主流路２８の部分に残留する血液が、第二接続流路３４及び補助チャンバ３６に送り込まれる一方、第一及び第二接続流路３２、３４のそれぞれの分岐部位の間の主流路２８の部分には、補助チャンバ３６内及び第一及び第二接続流路３２、３４内の生理的食塩水４４の一部が送り込まれる。そして、その後、血液ポンプ１６を停止した状態で、前述せる如き血液供給流路１２内の残留血液の回収操作を実施すれば、血液供給流路１２内の残留血液が全て回収され得ることとなる。
【００７３】
これによって、血液回収操作が、より確実に且つ効率的に実施され得るだけでなく、ピンチバルブ３１の省略に伴う部品点数の削減が有利に図られ得る。なお、上述の如き血液回収操作の実施時には、主流路２８における第一接続流路３２の分岐部位と第二接続流路３４の分岐部位との間の血液の流通を阻止せしめるために、血液ポンプ１６を停止した状態で行う必要があるところから、血液供給流路１２内での残留血液の流動は、例えば、ダイアライザ１０に接続される透析液供給流路上に設けられるポンプの作動によって、惹起せしめられることとなる。
【００７４】
次に、図３には、バイパス流路の配設構造が、前記実施形態とは異なる別の例が、示されている。なお、図３に示される本実施形態に関する以下の説明では、前記実施形態と同様な構造とされた部材及び部位について、図３に図１と同一の符号を付すことにより、その詳細な説明が省略されていることが理解されるべきである。
【００７５】
すなわち、本実施形態の血液浄化装置においては、主流路２８上に、動脈チャンバ２０が設けられており、そして、この動脈チャンバ２０に対して、バイパス流路３０が接続されている。
【００７６】
より詳細には、ここでは、動脈チャンバ２０が、両側有底の筒体からなり、その下側底部に、二つの下側貫通孔５０，５２が互いに所定距離を隔てて設けられる一方、上側底部にも、上側貫通孔５４，５６が、相互に所定距離を隔てて、形成されている。そして、一方側の開口部が血液導入口１３とされた、主流路２８の、浄化されるべき血液の流通方向上流側部分を与える、柔軟性乃至は弾性を有する樹脂チューブ５８ａの他方側の端部が、動脈チャンバ２０の下側底部における二つの下側貫通孔５０，５２のうちの一方の下側貫通孔５０に挿入され、動脈チャンバ２０内において、その高さ方向の中間部まで延出せしめられて、位置せしめられている。
【００７７】
また、この樹脂チューブ５８ａの動脈チャンバ２０内への挿入部分においては、その先端開口部が、血液導入口１３から導入されて、樹脂チューブ５８ａ内を流通せしめられる血液を動脈チャンバ２０内に流出せしめる流出口６０とされており、更に、この流出口６０には、公知の逆止弁（逆止め弁）６２が設けられて、樹脂チューブ５８ａ内の血液の、流出口６０から動脈チャンバ２０内への流出は許容されるものの、動脈チャンバ２０内の血液の、流出口６０を通じての樹脂チューブ５８ａ内への流入が阻止されるようになっている。
【００７８】
また、かかる動脈チャンバ２０の他方の下側貫通孔５２には、一方側の開口部おいて、ダイアライザ１０に接続された、主流路２８の、浄化されるべき血液の流通方向下流側部分を与える、前記樹脂チューブ５８ａと同材質の樹脂チューブ５８ｂの他方側の端部が挿入されており、この樹脂チューブ５８ｂの動脈チャンバ２０内への挿入部分の先端部に、浄化されるべき血液中の血栓を除去するための濾過網６３が、該先端部の開口部を覆うように取り付けられている。
【００７９】
そして、本実施形態では、特に、主流路２８の前記上流側部分を与える樹脂チューブ５８ａの動脈チャンバ２０内への挿入部分の先端部から、該樹脂チューブ５８ａと同材質の樹脂チューブからなる第一接続流路３２が分岐されており、また、この第一接続流路３２が、動脈チャンバ２０の上側底部に設けられた二つの上側貫通孔のうちの一方の上側貫通孔５４を通じて、動脈チャンバ２０の外部に、上方に向かって延出せしめられている。一方、かかる動脈チャンバ２０における他方の上側貫通孔５６にも、樹脂チューブ５８ａと同材質の樹脂チューブからなる第二接続流路３４が、その下端部において挿入、固定されて、上方に向かって延出せしめられている。また、この第二接続流路３４の途中には、開閉作動により、第二接続流路３４を任意に開閉せしめて、第二接続流路３４を通じての血液の流通を許容／阻止するピンチバルブ６４が、設けられている。
【００８０】
さらに、ここでは、第一及び第二接続流路３２，３４と共にバイパス流路３０を構成する補助チャンバ３６が、動脈チャンバ２０の上方に配置されている。この補助チャンバ３６も、動脈チャンバ２０と同様に、両側有底の筒体からなり、その下側底部に、二つの下側貫通孔６６，６８が、動脈チャンバ２０の二つの上側貫通孔５４，５６に対応した位置において形成されている。
【００８１】
そして、このような補助チャンバ３６においては、動脈チャンバ２０の二つの上側貫通孔５４，５６を通じて上方に延び出した第一接続流路３２と第二接続流路３４のそれぞれの上端部が、二つの下側貫通孔６６，６８を通じて挿入されて、固定されており、これによって、それら補助チャンバ３６と第一接続流路３２と第二接続流路３４とからなるバイパス流路３０が、動脈チャンバ２０に対して、その上方に補助チャンバ３６を位置せしめた状態で、接続されているのである。このことから明らかなように、本実施形態では、第一接続流路３２と、樹脂チューブ５８ａの動脈チャンバ２０内への挿入部分とにて、第一管路が構成されていると共に、第二接続流路３４にて、第二管路が構成されており、また、樹脂チューブ５８ａが挿通せしめられる動脈チャンバ２０の下側貫通孔５０にて、動脈チャンバの血液の流入口が、構成されている。
【００８２】
なお、かかる補助チャンバ３６内には、濾過網４２が、生理的食塩水４４と共に収容されており、この濾過網４２が、かかる生理的食塩水４４に浸漬された状態で、第一接続流路３２の補助チャンバ３６内への挿入部分の先端部に対して、その先端開口部を覆うように、取り付けられている。即ち、ここでも、補助チャンバ３６内の濾過網４２にて囲まれた空間が第一空間とされていると共に、それ以外の空間が第二空間とされている。
【００８３】
かくして、本実施形態の血液浄化装置にあっては、第二接続流路３４上に設けられたピンチバルブ６４の閉作動により、第二接続流路３４を通じての血液や補助チャンバ３６内の生理的食塩水４４の流通を阻止せしめた状態で、前述せる如き血液浄化操作を行えば、患者の体内から血液導入口１３を通じて導入された血液が、樹脂チューブ５８ａを通じて、動脈チャンバ２０内に導かれ、そこで一旦貯留されることにより空気が除去された後、樹脂チューブ５８ｂを通じてダイアライザ１０内に供給されて、浄化され、その後、血液返送流路１４を通じて、患者の体内に再び戻されるようになっている。
【００８４】
このため、本実施形態の血液浄化装置にあっても、血液浄化操作中に、浄化されるべき血液が、バイパス流路３０の補助チャンバ３６内に設けられた濾過網４２に接触せしめられることが回避されて、この濾過網４２に、浄化されるべき血液中の血栓が捕捉されるようなことや、かかる濾過網４２において血栓が形成されるようなことが、有利に阻止される。
【００８５】
また、かかる本実施形態装置では、血液浄化操作の終了後に、第二接続流路３４上に設けられたピンチバルブ６４を開作動させて、第二接続流路３４を通じての動脈チャンバ２０から補助チャンバ３６への血液の流通を許容せしめた状態で、前記せるダイアライザ１０内での逆濾過により、主流路２８の樹脂チューブ５８ｂ内の残留血液を動脈チャンバ２０内に押し込むと共に、血液ポンプ１６を逆回転作動せしめて、血液供給流路１２内の残留血液をダイアライザ１０側から血液導入口１３側に向かって逆流させる、前述せる如き血液回収操作を行えば、樹脂チューブ５８ｂ内と動脈チャンバ２０内の残留血液が、バイパス流路３０と主流路２８の樹脂チューブ５８ａとを通じて流通せしめられて、樹脂チューブ５８ａ内の残留血液と共に、血液導入口１３から患者の体内に戻されるようになっている。そして、このような血液回収操作中において、残留血液は、バイパス流路３０内を流通せしめられるときに、補助チャンバ３６内に配設された濾過網４２にて濾過されて、かかる残留血液中の血栓が捕捉されて、除去されることとなる。
【００８６】
従って、かくの如き本実施形態の血液浄化装置にあっても、前記実施形態装置と同様に、血液回収操作の実施時において、動脈チャンバ２０内の血液中の血栓や、血液浄化操作中に、動脈チャンバ２０内に設けられた濾過網６３に捕捉された血栓が、補助チャンバ３６内の濾過網４２に捕捉されて、除去され得ると共に、かかる補助チャンバ３６内の濾過網４２にて血液浄化操作中に捕捉乃至は形成された血栓が、回収されるべき残留血液中に混入せしめられるようなことも、有利に皆無ならしめられ得る。そして、その結果として、浄化されるべき血液中から血液浄化操作時に除去された血栓や、血液供給流路１２内の残留血液中の血栓が、血液浄化操作終了後の血液回収操作中に、残留血液と共に患者の体内に送り込まれるようなことが効果的に防止され得て、血液回収操作が、より一層安全に実施され得ることとなるのである。
【００８７】
また、本実施形態に係る血液浄化装置では、第一接続流路３２に対して、例えば、第二接続流路３４に設けられるピンチバルブ６４の如き特別な部材を設置することなく、かかる第一接続流路３２を通じての動脈チャンバ２０から補助チャンバ３６への血液の流通が阻止されるようになっているところから、血液浄化装置の構成部品の増加抑制が有利に図られ得る。
【００８８】
次に、図４には、主流路上に設けられた動脈チャンバの内部に、バイパス流路が形成されてなる、前記二つの実施形態とは異なる更に別の構造を有する例が、示されている。なお、かかる図４についても、前記実施形態と同様な構造とされた部材及び部位について、図１や図３と同一の符号を付すことにより、その詳細な説明を省略した。
【００８９】
すなわち、本実施形態の血液浄化装置においては、主流路２８上に設けられる動脈チャンバ２０が、貯留されるべき血液量よりも十分に大きな容積と柔軟性乃至は弾性を有する、両側有底の筒体からなり、その下側内部空間が、血液を貯留するための貯留部７０とされる一方、その上側内部空間が中空部７２とされている。また、この動脈チャンバ２０の下側底部には、二つの下側貫通孔５０，５２が、互いに所定距離を隔てて、設けられている一方、上側底部には、空気の流通孔７４が、形成されている。
【００９０】
そして、一方側の開口部が血液導入口１３とされた、柔軟性乃至は弾性を有する樹脂チューブ５８ａの他方側の端部が、動脈チャンバ２０の下側底部における二つの下側貫通孔５０，５２のうちの一方の下側貫通孔５０（流入口）に挿入され、動脈チャンバ２０内において、その高さ方向の中間部まで延出せしめられて、位置せしめられている。また、この樹脂チューブ５８ａの動脈チャンバ２０内への挿入部分においては、その先端開口部が、血液導入口１３から導入される、浄化されるべき血液を動脈チャンバ２０内に流出せしめる流出口６０とされており、更に、この流出口６０には、公知の逆止弁（逆止め弁）６２が設けられて、樹脂チューブ５８ａ内の血液の、流出口６０から動脈チャンバ２０内への流出は許容されるものの、動脈チャンバ２０内の血液の、流出口６０を通じての樹脂チューブ５８ａ内への流入が阻止されるようになっている。
【００９１】
一方、動脈チャンバ２０の他方の下側貫通孔５２には、一方側の開口部おいて、ダイアライザ１０に接続された、前記樹脂チューブ５８ａと同材質の樹脂チューブ５８ｂの他方側の端部が挿入されており、この樹脂チューブ５８ｂの動脈チャンバ２０内への挿入部分の先端部に、浄化されるべき血液中の血栓を除去するための、容易に変形可能な濾過網６３が、該先端部の開口部を覆うように取り付けられている。また、ここでは、樹脂チューブ５８ａの途中に、血液ポンプ１６が設置されている。
【００９２】
そして、本実施形態においては、特に、樹脂チューブ５８ａの動脈チャンバ２０内への挿入部分の先端部から、該樹脂チューブ５８ａと同材質の樹脂チューブからなる延長チューブ７６が分岐されて、その先端開口部が動脈チャンバ２０の上側内部空間からなる中空部７２に位置するように、上方に向かって延出せしめられている。また、そのような動脈チャンバ２０の中空部に位置せしめられた延長チューブ７６の先端部には、容易に変形可能な濾過網４２が、延長チューブ７６の先端開口部を覆うように、取り付けられている。
【００９３】
これによって、血液供給流路１２の主流路２８が、二つの樹脂チューブ５８ａ，５８ｂと動脈チャンバ２０の貯留部７０とにて構成されており、また、バイパス流路３０が、樹脂チューブ５８ａから分岐された延長チューブ７６と動脈チャンバ２０の中空部７２とにて構成されている。換言すれば、ここでは、動脈チャンバ２０の下側部分にて、主流路２８の血液導入口１３を有する一端部側部分とダイアライザ１０と接続せしめられる他端部側部分との間の中間部分が構成されている一方、動脈チャンバ２０の上側部分にて、かかる主流路２８に接続されたバイパス流路３０が構成されているのである。また、延長チューブ７６と樹脂チューブ５８ａとにて、延長流路が構成されている。
【００９４】
また、本実施形態では、一対の上側押圧部材７８ａ，７８ｂが、動脈チャンバ２０の中空部７２を間に挟んで、その左右両側において相互に対向位置するように、設けられている。この一対の上側押圧部材７８ａ，７８ｂは、それぞれの対向面が、平坦な押圧面８０ａ，８０ｂとされたブロック体からなり、図４には明示されてはいないものの、例えば、油圧機構や空気圧機構による自動操作、或いは手動操作によって、互いに接近／離隔移動せしめられ得るようになっている。
【００９５】
そして、図５に示される如く、かかる一対の上側押圧部材７８ａ，７８ｂが相互に接近移動せしめられることにより、それらの間に挟まれた動脈チャンバ２０の中空部７２とその内部に配置された延長チューブ７６とが、各上側押圧部材７８ａ，７８ｂの押圧面８０ａ，８０ｂにて外側から押圧されて、圧潰せしめられ、以て、そのような中空部７２の圧潰状態下で、樹脂チューブ５８ａ内の血液が、動脈チャンバ２０の中空部７２内と延長チューブ７６内、つまりバイパス流路３０内に流通せしめられないようになっている。
【００９６】
また、そのような一対の上側押圧部材７８ａ，７８ｂの下側にも、一対の下側押圧部材８２ａ，８２ｂが、動脈チャンバ２０の貯留部７０を間に挟んで、その左右両側において相互に対向位置するように、設けられている。そして、これら一対の下側押圧部材８２ａ，８２ｂも、一対の上側押圧部材７８ａ，７８ｂと同様に、それぞれの対向面が、平坦な押圧面８４ａ，８４ｂとされたブロック体からなり、図示しない油圧機構や空気圧機構等による自動操作や手動操作等により、互いに接近／離隔移動せしめられるようになっている。なお、一対の上側押圧部材７８ａ，７８ｂと一対の下側押圧部材８２ａ，８２ｂは、それらのうちの何れか一方が、相互に接近移動せしめられたときには、他方が、相互に離隔移動せしめられるようになっている。
【００９７】
これにより、ここでは、図６に示される如く、一対の上側押圧部材７８ａ，７８ｂが相互に離隔移動せしめられて、それらの押圧面８０ａ，８０ｂによる動脈チャンバ２０の中空部７２に対する押圧作用が解消された状態で、一対の下側押圧部材８２ａ，８２ｂが相互に接近移動せしめられることにより、それらの間に挟まれた動脈チャンバ２０の貯留部７０が、各押圧面８４ａ，８４ｂにて外側から押圧され、潰れ変形せしめられて、容積が減少せしめられるようになっている。そして、このような一対の下側押圧部材８２ａ，８２ｂによる動脈チャンバ２０の貯留部７０の潰れ変形による容積の減少に伴って、貯留部７０内に貯留される血液８６の液面が、中空部７２における延長チューブ７６の先端開口部の配置位置よりも上側の位置にまで上昇せしめられ、以て、かかる血液８６が、延長チューブ７６の先端部に取り付けられた濾過網４２にて濾過せしめられた後、延長チューブ７６を通じて、樹脂チューブ５８ａに流入せしめられるようになっている。このことから明らかなように、本実施形態では、一対の上側押圧部材７８ａ，７８ｂと一対の下側押圧部材８２ａ，８２ｂとにて、切換機構を与える血液液面上昇手段たる押圧手段が、構成されている。
【００９８】
かくして、本実施形態の血液浄化装置においては、図５に示されるように、上側押圧部材７８ａ，７８ｂを相互に接近移動させる一方で、下側押圧部材８２ａ，８２ｂを離隔移動させて、動脈チャンバ２０の中空部７２を圧潰せしめた状態で、前述せる如き血液浄化操作を行えば、患者の体内から血液導入口１３を通じて導入された血液が、樹脂チューブ５８ａを通じて、動脈チャンバ２０の貯留部７０内に導かれ、そこで一旦貯留されることにより混入していた空気が除去された後、樹脂チューブ５８ｂを通じてダイアライザ１０内に供給されて、浄化され、その後、血液返送流路１４を通じて、患者の体内に再び戻されるようになっている。
【００９９】
このため、本実施形態の血液浄化装置にあっても、血液浄化操作中に、浄化されるべき血液が、動脈チャンバ２０の中空部７２内に設けられた濾過網４２に接触せしめられることが回避されて、この濾過網４２に、浄化されるべき血液中の血栓が捕捉されるようなことや、濾過網４２にて血栓が形成されるようなことが、有利に阻止される。
【０１００】
また、かかる血液浄化装置では、血液浄化操作の終了後に、図６に示されるように、上側押圧部材７８ａ，７８ｂを離隔移動させて、それらの押圧面８０ａ，８０ｂによる動脈チャンバ２０の中空部７２に対する押圧作用を解消させる一方で、下側押圧部材８２ａ，８２ｂを相互の接近移動せしめて、動脈チャンバ２０の貯留部７０を潰れ変形させることにより、かかる貯留部７０内の血液８６の液面を、中空部７２における延長チューブ７６の先端開口部の配置位置よりも上側にまで上昇させた状態で、血液ポンプ１６を逆回転作動せしめて、血液供給流路１２内の残留血液をダイアライザ１０側から血液導入口１３側に向かって逆流させる、前述せる如き血液回収操作が、行われる。これによって、樹脂チューブ５８ｂ内と動脈チャンバ２０の貯留部７０内の残留血液が、動脈チャンバ２０の中空部７２と延長チューブ７６とからなるバイパス流路３０と、主流路２８の樹脂チューブ５８ａとを通じて流通せしめられて、樹脂チューブ５８ａ内の残留血液と共に、血液導入口１３から患者の体内に戻されるようになっている。そして、このような血液回収操作中において、残留血液は、バイパス流路３０内を流通せしめられるときに、動脈チャンバ２０の中空部７２内に配設された濾過網４２にて濾過されて、かかる残留血液中の血栓が捕捉されて、除去されることとなる。
【０１０１】
従って、かくの如き本実施形態の血液浄化装置にあっても、前記第一及び第二の実施形態において奏される効果と同様な効果が、極めて有効に享受され得ることとなる。
【０１０２】
また、本実施形態に係る血液浄化装置では、バイパス流路３０が、動脈チャンバ２０の上側部分にて構成されているため、バイパス流路３０の増設に伴う部品点数の増加と、それによる構造の複雑化及びコストの高騰が、有利に解消乃至は抑制され得るといった利点がある。
【０１０３】
次に、図７には、血液液面上昇手段が、前記第三実施形態とは異なる構造を有する他の例が、示されている。なお、かかる図７についても、前記実施形態と同様な構造とされた部材及び部位について、図１や図４と同一の符号を付すことにより、その詳細な説明を省略した。
【０１０４】
すなわち、本実施形態の血液浄化装置にあっては、前記第三実施形態と同様に、血液供給流路１２の主流路２８が、二つの樹脂チューブ５８ａ，５８ｂと動脈チャンバ２０の貯留部７０とにて構成されていると共に、バイパス流路３０が、樹脂チューブ５８ａから分岐された延長チューブ７６と動脈チャンバ２０の中空部７２とにて構成されているものの、動脈チャンバ２０は、柔軟性乃至は弾性を有せず、また上側及び下側押圧部材７８，８２は何等設けられておらず、その代わりに、動脈チャンバ２０の空気流通孔７４に対して、切換機構を与える血液液面上昇手段たる空気排出手段としての空気吸引装置８８が、空気流通路９０を介して、接続されている。
【０１０５】
かくして、本実施形態の血液浄化装置においては、動脈チャンバ２０の中空部７２に、空気が満たされている状態下で、前述せる如き血液浄化操作を行えば、患者の体内から血液導入口１３を通じて導入された血液が、樹脂チューブ５８ａを通じて、動脈チャンバ２０の貯留部７０内に導かれ、そこで一旦貯留されることにより混入していた空気が除去された後、樹脂チューブ５８ｂを通じてダイアライザ１０内に供給されて、浄化され、その後、血液返送流路１４を通じて、患者の体内に再び戻されるようになっている。
【０１０６】
このため、本実施形態の血液浄化装置にあっても、血液浄化操作中に、浄化されるべき血液が、動脈チャンバ２０の中空部７２内に設けられた濾過網４２に接触せしめられることが回避されて、この濾過網４２に、浄化されるべき血液中の血栓が捕捉されるようなことや、濾過網４２にて血栓が形成されるようなことが、有利に阻止される。
【０１０７】
また、かかる血液浄化装置では、血液浄化操作の終了後に、空気吸引装置８８の作動により、空気流通路９０を通じて、動脈チャンバ２０の中空部７２内の空気を吸引し、動脈チャンバ２０内から排出せしめることで、かかる動脈チャンバ２０の貯留部７０内の血液８６の液面を、中空部７２における延長チューブ７６の先端開口部の配置位置よりも上側にまで上昇させ、この状態で、血液ポンプ１６を逆回転作動せしめて、血液供給流路１２内の残留血液をダイアライザ１０側から血液導入口１３側に向かって逆流させる、前述せる如き血液回収操作が、行われる。これによって、樹脂チューブ５８ｂ内と動脈チャンバ２０の貯留部７０内の残留血液が、動脈チャンバ２０の中空部７２と延長チューブ７６とからなるバイパス流路３０と、主流路２８の樹脂チューブ５８ａとを通じて流通せしめられて、樹脂チューブ５８ａ内の残留血液と共に、血液導入口１３から患者の体内に戻されるようになっている。そして、このような血液回収操作中において、残留血液は、バイパス流路３０内を流通せしめられるときに、動脈チャンバ２０の中空部７２内に配設された濾過網４２にて濾過されて、かかる残留血液中の血栓が捕捉されて、除去されることとなる。
【０１０８】
従って、かくの如き本実施形態の血液浄化装置にあっても、前記第一乃至第三の実施形態において奏される効果と同様な効果が、極めて有効に享受され得ることとなる。
【０１０９】
以上、本発明の具体的な構成について詳述してきたが、これはあくまでも例示に過ぎないのであって、本発明は、上記の記載によって、何等の制約を受けるものではない。
【０１１０】
例えば、前記実施形態で、血液供給流路１２上に設けられたピンチバルブ３１，４６，４８，６４を、公知のピンチコックや電磁弁等、血液供給流路１２を任意に開閉せしめて血液の流通を許容又は阻止する、ピンチバルブ以外の公知の開閉部材に変更しても良い。
【０１１１】
また、ピンチバルブ３１に代えて、主流路２８における第一及び第二接続流路３２，３４のそれぞれの分岐部位の間の部分において、血液導入口１３側からダイアライザ１０側に向かう血液の流れは許容するものの、それとは反対側への血液の流れを阻止する逆止弁を、ピンチバルブ３１の配設部位に設置しても良い。更に、ピンチバルブ４６に代えて、補助チャンバ３６から主流路２８への血液の流れは許容するものの、それとは反対側への血液の流れは阻止する逆止弁を、ピンチバルブ４６の配設部位に設置したり、或いはピンチバルブ４８に代えて、主流路２８から補助チャンバ３６への血液の流れは許容するものの、それとは反対側への血液の流れは阻止する逆止弁を、ピンチバルブ４８の配設部位に設置しても良い。更にまた、ピンチバルブ６４に代えて、動脈チャンバ２０から補助チャンバ３６への血液の流れは許容するものの、それとは反対側への血液の流れは阻止する逆止弁を、ピンチバルブ６４の配設部位に設置することも、可能である。
【０１１２】
また、図３に示された前記実施形態の血液浄化装置において、第一接続流路３２の途中に、ピンチバルブやピンチコック、電磁弁等の公知の開閉部材を設けたり、或いは補助チャンバ３６から動脈チャンバ２０側への血液の流れは許容するものの、それとは反対側への血液の流れを阻止する逆止弁を設置しても良い。
【０１１３】
さらに、血液回収操作を行なわしめる構造は、血液供給流路１２内の血液をダイアライザ１０側から血液導入口１３側に向かって流通せしめることにより、血液回収を行うものであれば、その具体的構造が、例示のものに、何等限定されるものでないことは言うまでもないところである。
【０１１４】
更にまた、バイパス流路３０上に設けられる濾過手段は、例示の濾過網４２に、特に限定されるものではなく、バイパス流路３０内を流通せしめられる血液を濾過して、その血液中の血栓を除去し得るものであれば、従来より公知のものが、何れも採用され得る。
【０１１５】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【０１１６】
【図１】本発明に従う血液浄化装置の一例を示す、一部切欠図を含む系統図である。
【図２】本発明に従う血液浄化装置の別の例を示す、一部切欠図を含む系統図である。
【図３】本発明に従う血液浄化装置の更に別の例を示す、一部切欠図を含む系統図である。
【図４】本発明に従う血液浄化装置の他の例を示す、一部切欠図を含む系統図である。
【図５】図４に示された血液浄化装置を用いて血液浄化操作を行ったときの、上側押圧部材の作動による動脈チャンバの潰れ変形状態を示す説明図である。
【図６】図４に示された血液浄化装置を用いて血液回収操作を行ったときの、下側押圧部材の作動による動脈チャンバの潰れ変形状態を示す説明図である。
【図７】本発明に従う血液浄化装置の更に他の例を示す、一部切欠図を含む系統図である。
【符号の説明】
【０１１７】
１０  ダイアライザ                    １２  血液供給流路
１３  血液導入口                      １４  血液返送流路
１６  血液ポンプ                      ２０  動脈チャンバ
２８  主流路                          ３０  バイパス流路
３１，４６，４８，６４  ピンチバルブ
３２  第一接続流路                    ３４  第二接続流路
３６  補助チャンバ                    ４２  濾過網
４４  生理的食塩水                    ６０  流出口
６２  逆止弁                          ７０  貯留部
７２  中空部                          ７６  延長チューブ
７８  上側押圧部材                    ８２  下側押圧部材
８８  空気吸引装置
【図１】
2005176883.tif 000003
【図２】
2005176883.tif 000004
【図３】
2005176883.tif 000005
【図４】
2005176883.tif 000006
【図５】
2005176883.tif 000007
【図６】
2005176883.tif 000008
【図７】
2005176883.tif 000009